(57)【要約】【課題】安全性に優れ、ブランケットやゴムローラーのインキ転写性の回復性に優れるインキ転写性回復剤組成物を提供する。【解決手段】本発明のインキ転写性回復剤組成物は、環状アミド、芳香族炭化水素、及びアルコールを、合計して５０重量％以上含有することを特徴とする。【選択図】なし【特許請求の範囲】
【請求項１】
環状アミド、芳香族炭化水素、及びアルコールを、合計して５０重量％以上含有することを特徴とするインキ転写性回復剤組成物。
【請求項２】
前記環状アミドの含有量が、２０〜８０重量％である請求項１に記載のインキ転写性回復剤組成物。
【請求項３】
前記芳香族炭化水素の含有量が、１０〜５０重量％である請求項１又は２に記載のインキ転写性回復剤組成物。
【請求項４】
前記アルコールの含有量が、３〜２５重量％である請求項１〜３のいずれか１項に記載のインキ転写性回復剤組成物。
【請求項５】
ブランケット又はゴムローラーに付着している物質の除去用、
ブランケット又はゴムローラーの凹みの復元用、及び
ブランケット又はゴムローラーの弾性の回復用
からなる群より選ばれた１以上の用途である請求項１〜４のいずれか１項に記載のインキ転写性回復剤組成物。
【請求項６】
環状アミド、芳香族炭化水素、及びアルコールを、合計して５０重量％以上含有するインキ転写性回復剤組成物を用いて、
ブランケット又はゴムローラーに付着している物質を除去する操作、
ブランケット又はゴムローラーの凹みを復元させる操作、及び
ブランケット又はゴムローラーの弾性を回復させる操作
からなる群より選ばれた１以上の操作を含むことを特徴とするインキ転写性回復方法。
【請求項７】
請求項６に記載のインキ転写性回復方法によって回復したブランケット及び／又はゴムローラーを有する印刷機を用いて印刷する工程を含む印刷物の製造方法。
【発明の詳細な説明】
【技術分野】
【０００１】
本発明は、インキ転写性回復剤組成物に関する。より詳しくは、例えば、ブランケット又はゴムローラーのインキ転写性回復剤組成物に関する。
【背景技術】
【０００２】
印刷機で使用されているブランケットやゴムローラーは、長期間使用していると、洗浄液による度重なる洗浄、インキの硬化物や紙粉等の付着物質、物理的な摩耗などに起因して劣化や老化が起こり、表面の粗さや弾性が低下したり、表面に凹みが発生したりすることがあった。上記ブランケットやゴムローラーは、表面の粗さや弾性が低下したり、表面に凹みがあったりすると、インキの着肉性の悪化、インキの転写不良が起こりやすかった。そこで、従来、上記付着物質の除去、表面の凹みの復元、ブランケットやゴムローラーの弾性の回復などを行うために、インキ転写性回復剤（インキ転写性回復液）が使用されている。
【０００３】
現在、上記インキ転写性回復剤としては、上記付着物質の効果的な除去、インキの着肉性や転写性の向上、速乾性の観点から、ジクロロメタン、ジクロロプロパン、トリクロロエタンなどの塩素系溶剤を含有するインキ転写性回復剤が使用されている。このようなインキ転写性回復剤としては、例えば、塩化メチレン１００重量部に対して、パラフィンワックスを０．５〜３重量部、非プロトン系極性溶剤を１〜２０重量部、酢酸ビニル系粉末エマルションを５〜３０重量部含有することを特徴とする塗膜剥離用組成物が知られている（例えば、特許文献１）。
【先行技術文献】
【特許文献】
【０００４】
【特許文献１】特開平１１−１１６８６２号公報
【発明の概要】
【発明が解決しようとする課題】
【０００５】
しかし、上記塩素系溶剤を含有する塗膜剥離剤は、環境汚染の原因となったり、人体への悪影響があったりするため、安全性に課題があった。従って、上記インキ転写性回復剤として、安全性に優れ、インキ転写性の回復性にも優れるインキ転写性回復剤が求められている。
【０００６】
即ち、本発明の目的は、塩素系溶剤を含有しないため、安全性に優れ、ブランケットやゴムローラーのインキ転写性の回復性に優れるインキ転写性回復剤組成物を提供することにある。また、本発明の他の目的は、安全性に優れ、ブランケットやゴムローラーのインキ転写性の回復性に優れるインキ転写性回復方法を提供することにある。また、本発明の他の目的は、安全性に優れる印刷物の製造方法を提供することにある。
【課題を解決するための手段】
【０００７】
本発明者は、上記目的を達成するため鋭意検討した結果、環状アミド、芳香族炭化水素、及びアルコールを合計して特定量以上含有するインキ転写性回復剤組成物とすることにより、安全性に優れ、インキ転写性の回復性に優れるインキ転写性回復剤組成物を得ることができることを見出し、本発明を完成した。
【０００８】
すなわち、本発明は、環状アミド、芳香族炭化水素、及びアルコールを、合計して５０重量％以上含有することを特徴とするインキ転写性回復剤組成物を提供する。
【０００９】
前記環状アミドの含有量は、２０〜８０重量％であることが好ましい。
【００１０】
前記芳香族炭化水素の含有量は、１０〜５０重量％であることが好ましい。
【００１１】
前記アルコールの含有量は、３〜２５重量％であることが好ましい。
【００１２】
前記インキ転写性回復剤は、ブランケット又はゴムローラーに付着している物質の除去用、ブランケット又はゴムローラーの凹みの復元用、及びブランケット又はゴムローラーの弾性の回復用からなる群より選ばれた１以上の用途であることが好ましい。
【００１３】
また、本発明は、環状アミド、芳香族炭化水素、及びアルコールを、合計して５０重量％以上含有するインキ転写性回復剤組成物を用いて、ブランケット又はゴムローラーに付着している物質を除去する操作、ブランケット又はゴムローラーの凹みを復元させる操作、及びブランケット又はゴムローラーの弾性を回復させる操作からなる群より選ばれた１以上の操作を含むことを特徴とするインキ転写性回復方法を提供する。
【００１４】
また、本発明は、前記のインキ転写性回復方法によって回復したブランケット及び／又はゴムローラーを有する印刷機を用いて印刷する工程を含む印刷物の製造方法を提供する。
【発明の効果】
【００１５】
本発明のインキ転写性回復剤組成物は、環状アミド、芳香族炭化水素、及びアルコールを、合計して５０重量％以上含有する。これにより、本発明のインキ転写性回復剤組成物は、安全性に優れ、塩素系の有機溶剤を使用しないインキ転写性回復剤でありながら、ブランケットやゴムローラーのインキ転写性の回復性に優れる。
【発明を実施するための形態】
【００１６】
本発明のインキ転写性回復剤組成物は、環状アミド、芳香族炭化水素、及びアルコールを少なくとも含有する。本発明のインキ転写性回復剤組成物は、本発明の効果を損なわない範囲内で、上記環状アミド、上記芳香族炭化水素、上記アルコール以外の成分を含んでいてもよい。
【００１７】
（環状アミド）
上記環状アミドは、特に限定されないが、例えば、２−ピロリドン、Ｎ−メチル−２−ピロリドン、Ｎ−エチル−２−ピロリドン、Ｎ−オクチル−２−ピロリドン、Ｎ−ビニル−２−ピロリドン、５−メチル−２−ピロリドン、１−（２−ヒドロキシエチル）−２−ピロリドン、１−アセチル−２−ピロリドン等の５員環環状アミド；δ−バレロラクタム等の６員環環状アミド；ε−カプロラクタム、Ｎ−メチル−ε−カプロラクタム等の７員環環状アミドなどが挙げられる。中でも、５員環環状アミドが好ましく、さらに好ましくはＮ−メチル−２−ピロリドンである。上記環状アミドは、１種のみを用いてもよいし、２種以上を用いてもよい。
【００１８】
（芳香族炭化水素）
上記芳香族炭化水素は、特に限定されないが、例えば、ベンゼン、トルエン、エチルベンゼン、ｎ−プロピルベンゼン、イソプロピルベンゼン、エチルメチルベンゼン、ｔ−ブチルベンゼン、ｏ−キシレン、ｍ−キシレン、ｐ−キシレン、１，２，４−トリメチルベンゼン、１，２，５−トリメチルベンゼン、テトラリン、灯油、低沸点芳香族ナフサ、高沸点芳香族ナフサなどが挙げられる。上記芳香族炭化水素は、脱臭等の処理をされている芳香族炭化水素（例えば、脱臭灯油など）であってもよい。中でも、低沸点芳香族ナフサが好ましい。上記芳香族炭化水素は、１種のみを用いてもよいし、２種以上を用いてもよい。
【００１９】
上記芳香族炭化水素は、特に限定されないが、１２０〜２００℃に沸点を有することが好ましく、より好ましくは１２０〜１８０℃に沸点を有することである。
【００２０】
上記芳香族炭化水素は、市販品を用いることも可能である。例えば、「スワゾール１０００」（丸善石油化学（株）製）などが市場で入手可能である。
【００２１】
（アルコール）
上記アルコールは、特に限定されず、第一級アルコール、第二級アルコール、第三級アルコールのいずれも使用することができる。上記アルコールは、特に限定されないが、例えば、メタノール、エタノール、１−プロパノール、２−プロパノール、１−ブタノール、２−メチル−２−プロパノール、１−ペンタノール、１−ヘキサノール、１−オクタノール、１−デカノール等の脂肪族アルコール；シクロペンチルメチルアルコール、２−シクロヘキシルエチルアルコール等の脂環を有する脂環式アルコール；ベンジルアルコール等の芳香族アルコールなどが挙げられる。中でも、脂肪族アルコールが好ましく、より好ましくは炭素数１〜３の脂肪族第一級アルコールであり、さらに好ましくはエタノールである。メタノール、２−プロパノールは、労働安全衛生法及び有機溶剤中毒予防規則では「第二種有機溶剤」に指定されている。一方、エタノールは上記の法規に該当しない、有害性の少ない有用なアルコールであるため、好ましい。上記アルコールは、１種のみを用いてもよいし、２種以上を用いてもよい。
【００２２】
本発明のインキ転写性回復剤組成物は、本発明のインキ転写性回復剤組成物の全量（１００重量％）に対して、上記環状アミド、上記芳香族炭化水素、上記アルコールを合計して５０重量％以上含有し、好ましくは６０重量％以上、より好ましくは７０重量％以上である。上記含有量が５０重量％以上であることにより、ブランケット又はゴムローラーに対して優れたインキ転写性の回復性を有する。
【００２３】
また、本発明のインキ転写性回復剤組成物は、特に限定されないが、本発明のインキ転写性回復剤組成物の全量（１００重量％）に対して、上記環状アミド、上記芳香族炭化水素、及び上記アルコールを合計して９９重量％以下であることが好ましく、より好ましくは９８．５重量％以下、さらに好ましくは９８重量％以下である。上記含有量が９９重量％以下であると、インキ転写性回復剤組成物に特定の性質を付与するための成分（例えば、増粘剤など）を含むことができる。
【００２４】
上記環状アミドの含有量は、特に限定されないが、本発明のインキ転写性回復剤組成物の全量（１００重量％）に対して、２０〜８０重量％が好ましく、より好ましくは３０〜６５重量％、さらに好ましくは４０〜５５重量％である。上記含有量が２０重量％未満であると、極性物質や各種汚れの除去が不十分となる場合がある。上記含有量が８０重量％を超えると、長時間接触すると金属やゴムが劣化する場合がある。また、特に限定されないが、Ｎ−メチル−２−ピロリドンの含有量が上記範囲であることが好ましい。
【００２５】
上記芳香族炭化水素の含有量は、特に限定されないが、本発明のインキ転写性回復剤組成物の全量（１００重量％）に対して、１０〜５０重量％が好ましく、より好ましくは１５〜４５重量％、さらに好ましくは２０〜４０重量％である。上記含有量が１０重量％未満であると、非極性物質や各種汚れの除去が不十分となる場合がある。上記含有量が５０重量％を超えると、長時間接触するとゴムが劣化する場合がある。また、特に限定されないが、低沸点芳香族ナフサの含有量が上記範囲であることが好ましい。
【００２６】
上記アルコールの含有量は、特に限定されないが、本発明のインキ転写性回復剤組成物の安定性、インキ転写性の回復性、腐食防止剤などの固体成分の溶解性の観点から、本発明のインキ転写性回復剤組成物の全量（１００重量％）に対して、３〜２５重量％が好ましく、より好ましくは５〜１５重量％、さらに好ましくは６〜１２重量％である。また、特に限定されないが、エタノールの含有量が上記範囲であることが好ましい。
【００２７】
本発明のインキ転写性回復剤組成物は、本発明の効果を損なわない範囲内で、上記環状アミド、上記芳香族炭化水素、上記アルコール以外の成分（他の成分）を含んでいてもよい。上記他の成分は、特に限定されないが、例えば、上記環状アミド、上記芳香族炭化水素、上記アルコール以外の有機溶剤（他の有機溶剤）；水溶液；界面活性剤；乳化剤；有機酸、無機酸等の酸；有機塩基、無機塩基等の塩基；増粘剤；ｐＨ調整剤；パラフィンワックス、高級脂肪酸及びそのエステル、高級アルコール等の蒸発遅延剤；溶解助剤；分散剤；腐食防止剤などが挙げられる。
【００２８】
上記他の有機溶剤は、特に限定されないが、例えば、ヘキサン、ヘプタン、オクタン等の脂肪族炭化水素；シクロヘキサン等の脂環式炭化水素；ジエチルエーテル、ジメトキシエタン、テトラヒドロフラン、ジオキサン等のエーテル；Ｎ，Ｎ−ジメチルホルムアミド、Ｎ，Ｎ−ジメチルアセトアミドなどのアミド；アセトニトリルなどのニトリル等；酢酸メチル、酢酸エチル等のエステル；アセトン、メチルエチルケトン等のケトン；ジメチルスルホキシド等のスルホキシドなどが挙げられる。中でも、酢酸メチル、ジメチルスルホキシドが好ましい。
【００２９】
上記増粘剤は、インキ転写性回復剤組成物の粘度を好ましい範囲に調節可能なものであれば、特に限定されない。上記増粘剤は、特に限定されないが、例えば、メチルセルロース、エチルセルロース、ヒドロキシエチルセルロース、プロピルセルロース、ブチルセルロース、ヒドロキシプロピルセルロース、ヒドロキシプロピルメチルセルロース、カルボキシメチルセルロース等のセルロース系誘導体；寒天、デンプン、コンニャク、ペクチン、カラギーナン、アラビアガム、カラヤガム、グアーガム、キサンタンガム、トラガントガム、サイリウムシードガム、タマリンドガム、ローカストビーンガム、クインスシードガム等の増粘多糖類；カゼイン、ゼラチン、コラーゲン、アルブミン等の天然たん白類；アルギン酸ナトリウム、アルギン酸プロピレングリコールエステル等のアルギン酸系化合物；スメクタイト、モンモリロナイト、サポナイト、ヘクトライト、ベントナイト、ケイ酸ナトリウムマグネシウム、含水ケイ酸アルミニウム、フッ素四ケイ素雲母、シリカ、アルミナ等の無機系化合物；ステアリン酸マグネシウム、ステアリン酸カルシウム、ステアリン酸アルミニウム等のステアリン酸金属塩；ポリエチレングリコール、ポリプロピレングリコール等のポリオレフィングリコール類；ポリビニルアルコール、ポリビニルピロリドン、ポリビニルメチルエーテル、カルボキシビニルポリマー、ポリアクリル酸ソーダ等のビニル系ポリマー；シランカップリング剤；デキストリン系化合物；アジリン系化合物；エポキシ系化合物；アルミニウムキレート化合物；アルミニウムアルコラート類；長鎖脂肪酸アルキルアミドなどが挙げられる。中でも、ヒドロキシエチルセルロース、プロピルセルロース、ブチルセルロース、ヒドロキシプロピルセルロース、ヒドロキシプロピルメチルセルロース、カルボキシメチルセルロース、寒天、デンプン、アラビアガム、カラヤガム、グアーガム、キサンタンガム、トラガントガム、カゼイン、ゼラチン、コラーゲン、アルブミン、アルギン酸ナトリウム、含水ケイ酸アルミニウム、フッ素四ケイ素雲母、シリカ、アルミナが好ましい。上記増粘剤は、表面処理加工を施されていてもよい。上記増粘剤は、１種のみを用いてもよいし、２種以上を用いてもよい。上記増粘剤の含有量は、特に限定されないが、本発明のインキ転写性回復剤組成物の全量（１００重量％）に対して、０．１〜５重量％が好ましく、より好ましくは０．５〜３重量％、さらに好ましくは１〜３重量％である。
【００３０】
上記界面活性剤又は上記乳化剤は、特に限定されないが、例えば、オクタエチレングリコールモノドデシルエーテル、ペンタエチレングリコールモノドデシルエーテル等のポリエチレングリコールアルキルエーテル；ポリプロピレングリコールアルキルエーテル；デシルグルコシド、ラウリルグルコシド、オクチルグルコシド等のアルキルグルコシド；ポリ（オキシエチレン）オクチルフェニルエーテル等のポリ（オキシエチレン）アルキルフェニルエーテル；アルキルグリセロール；ラウリル酸グリセリル；ソルビタン脂肪酸ポリエチレングリコールエステル等のソルビタン脂肪酸エステル；コカミドＭＥＡ；コカミドＤＥＡ；ドデシルジメチルアミンオキシド；ポリエチレングリコールとポリプロピレングリコールのブロック共重合体；ポリエチレングリコール−ポリプロピレングリコール−ポリエチレングリコールのトリブロック共重合体；ポリオキシエチレンアルキルアミンなどが挙げられる。上記界面活性剤及び上記乳化剤の含有量は、特に限定されないが、本発明のインキ転写性回復剤組成物の全量（１００重量％）に対して、０．３〜３重量％が好ましく、より好ましくは０．５〜２重量％である。
【００３１】
上記腐食防止剤は、特に限定されないが、例えば、アミン類、ピロール環を有する化合物、トリアゾール環を有する化合物、ピラゾール環を有する化合物、チアゾール環を有する化合物、イミダゾール環を有する化合物、インダゾール環を有する化合物、銅キレート化合物類、チオ尿素類、メルカプト基を有する化合物、ナフタレン系化合物などが挙げられる。中でも、トリアゾール環を有する化合物が好ましく、より好ましくは１，２，３−ベンゾトリアゾールである。上記腐食防止剤の含有量は、特に限定されないが、印刷機の金属やゴムの腐食防止の観点から、本発明のインキ転写性回復剤組成物の全量（１００重量％）に対して、０．０１〜１０重量％が好ましく、より好ましくは０．０５〜５重量％、さらに好ましくは０．１〜３重量％である。
【００３２】
本発明のインキ転写性回復剤組成物は、特に限定されないが、２５〜３０℃における粘度が１７００〜３５００ｃｐｓであることが好ましく、より好ましくは２２００〜３０００ｃｐｓである。なお、上記粘度は、例えば、２００ｒｐｍの速さで、Ｂ型粘度計により測定することができる。上記粘度が１７００ｃｐｓ未満であると、ブランケットやロールに塗布した際にインキ転写性回復剤組成物が一箇所にとどまらずに垂れてしまう場合がある。上記粘度が３５００ｃｐｓを超えると、インキ転写性回復剤組成物を塗布しにくく、作業性が低下する場合がある。上記粘度は、例えば、ブルックフィールド回転粘度計により測定することができる。
【００３３】
本発明のインキ転写性回復剤組成物は、特に限定されないが、インキ転写性を回復させる用途に使用できる。本発明のインキ転写性回復剤組成物は、特に限定されないが、例えば、ブランケット又はゴムローラーに付着している物質（インキの硬化物、インキの残留物、印刷物の破片（紙粉等）、印刷版の破片、パウダー、その他の混入物質など）の除去用、ブランケット又はゴムローラーの凹みの復元用、ブランケット又はゴムローラーの弾性の回復用などに使用することができる。中でも、好ましくはブランケットに付着している物質の除去用、ブランケットの凹みの復元用、ブランケットの弾性の回復用が好ましい。
【００３４】
本発明のインキ転写性回復剤組成物は、インキ転写性を回復させる用途に用いることによって、ブランケット又はゴムローラーの汚れをとったり、しなやかさを取り戻したり、凹みを膨らませて平坦な状態に戻したりできる。その結果、ブランケット又はゴムローラーの使用期間（寿命）を、本発明のインキ転写性回復剤組成物を使用しない場合に比べて、長くすることができる。
【００３５】
さらに、本発明のインキ転写性回復剤組成物は、従来の塩素系溶媒を含有するインキ転写性回復剤組成物に比べても、インキ転写性の回復性に優れる。具体的には、従来の塩素系溶媒を含有するインキ転写性回復剤組成物を用いてインキ転写性を回復させたブランケットを使用して印刷物を製造した場合、良好な状態で製造することができる印刷物は２００〜３００枚程度である。これに対して、本発明のインキ転写性回復剤組成物を用いてインキ転写性を回復させたブランケットを使用して、上記と同様の条件で印刷物を製造した場合、良好な状態で製造することができる印刷物は２０００〜３０００枚であり、その差は約９倍である。
【００３６】
本発明のインキ転写性回復剤組成物は、上記インキ転写性の回復以外の用途（他の用途）にも使用してもよい。上記他の用途は、特に限定されないが、例えば、インキローラー、ブランケット、金属胴等の印刷機部品の洗浄用；印刷機、壁等に付着したインキや塗料の剥離用などが挙げられる。
【００３７】
［インキ転写性回復方法］
本発明のインキ転写性回復方法は、環状アミド、芳香族炭化水素、及びアルコールを、合計して５０重量％以上含有するインキ転写性回復剤組成物を用いて、ブランケット又はゴムローラーに付着している物質を除去する操作、ブランケット又はゴムローラーの凹みを復元させる操作、及びブランケット又はゴムローラーの弾性を回復させる操作からなる群より選ばれた１以上の操作を少なくとも含む。なお、本明細書において、上記インキ転写性回復剤組成物を用いて、ブランケット又はゴムローラーに付着している物質を除去する操作を「操作（Ａ１）」と称する場合がある。また、上記インキ転写性回復剤組成物を用いて、ブランケット又はゴムローラーの凹みを復元させる操作を「操作（Ａ２）」と称する場合がある。また、上記インキ転写性回復剤組成物を用いて、ブランケット又はゴムローラーの弾性を回復させる操作を「操作（Ａ３）」と称する場合がある。本発明のインキ転写性回復方法は、上記操作（Ａ１）、上記操作（Ａ２）、上記操作（Ａ３）以外の操作（他の操作）を含んでいてもよい。また、本明細書において、上記ブランケット又はゴムローラーに付着している物質を、単に「付着物質」と称する場合がある。
【００３８】
本発明のインキ転写性回復方法で用いられるインキ転写性回復剤組成物には、例えば、本発明のインキ転写性回復剤組成物を使用することができる。
【００３９】
上記操作（Ａ１）は、ブランケット又はゴムローラーに付着している物質を除去する操作であり、好ましくはブランケットに付着している物質を除去する操作である。
【００４０】
上記操作（Ａ１）において、ブランケット又はゴムローラーに付着している物質（付着物質）を除去する方法は、特に限定されないが、公知慣用の付着物質の除去方法が使用できる。上記付着物質を除去する方法は、特に限定されないが、例えば、ブランケットの洗浄方法と同様の方法（例えば、上記インキ転写性回復剤組成物を適量染みこませたウェスや布等でブランケット又はゴムローラーの表面を拭く方法等）、インキローラーの洗浄方法と同様の方法（例えば、印刷機を空転させながら上記インキ転写性回復剤組成物を導入して一定時間空転させる方法等）、上記インキ転写性回復剤組成物を適量染みこませたウェスや布等を付着物質が存在する部分に一定時間押し当てる方法、上記インキ転写性回復剤組成物適量を付着物質が存在する部分に付着させたまま一定時間待機した後に除去する方法、上記インキ転写性回復剤組成物適量を付着物質が存在する部分に付着させたまま印刷機を一定時間空転させる方法などが挙げられる。上記付着物質を除去する方法は、１種の方法のみを用いてもよいし、２種以上の方法を用いてもよい。
【００４１】
このような付着物質としては、特に限定されないが、例えば、インキの硬化物、インキの残留物、印刷版の破片、印刷物の破片（紙粉など）、パウダー、その他の混入物質などが挙げられる。
【００４２】
上記操作（Ａ２）は、ブランケット又はゴムローラーの凹みを復元させる操作であり、好ましくはブランケットの凹みを復元させる操作である。
【００４３】
上記操作（Ａ２）において、ブランケット又はゴムローラーの凹みを復元させる方法は、特に限定されないが、公知慣用のブランケット又はゴムローラーの凹みを復元させる方法が使用できる。上記ブランケット又はゴムローラーの凹みを復元させる方法は、特に限定されないが、例えば、ブランケットの洗浄方法と同様の方法（例えば、上記インキ転写性回復剤組成物を適量染みこませたウェスや布等でブランケット又はゴムローラーの表面を拭く方法等）、インキローラーの洗浄方法と同様の方法（例えば、印刷機を空転させながら上記インキ転写性回復剤組成物を導入して一定時間空転させる方法等）、上記インキ転写性回復剤組成物を適量染みこませたウェスや布等を凹みのある部分に一定時間押し当てる方法、上記インキ転写性回復剤組成物適量を凹みのある部分に付着させたまま一定時間待機した後に除去する方法、上記インキ転写性回復剤組成物適量を凹みのある部分に付着させたまま印刷機を一定時間空転させる方法などが挙げられる。上記ブランケット又はゴムローラーの凹みを復元させる方法は、１種の方法のみを用いてもよいし、２種以上の方法を用いてもよい。
【００４４】
上記操作（Ａ３）は、ブランケット又はゴムローラーの弾性を回復させる操作であり、好ましくはブランケットの弾性を回復させる操作である。
【００４５】
上記操作（Ａ３）において、ブランケット又はゴムローラーの弾性を回復させる方法は、特に限定されないが、公知慣用のブランケット又はゴムローラーの弾性を回復させる方法が使用できる。上記ブランケット又はゴムローラーの弾性を回復させる方法は、特に限定されないが、例えば、ブランケットの洗浄方法と同様の方法（例えば、上記インキ転写性回復剤組成物を適量染みこませたウェスや布等でブランケット又はゴムローラーの表面を拭く方法等）、インキローラーの洗浄方法と同様の方法（例えば、印刷機を空転させながら上記インキ転写性回復剤組成物を導入して一定時間空転させる方法等）、上記インキ転写性回復剤組成物を適量染みこませたウェスや布等を、弾性を回復させたい部分に一定時間押し当てる方法、上記インキ転写性回復剤組成物適量を、弾性を回復させたい部分に付着させたまま一定時間待機した後に除去する方法、上記インキ転写性回復剤組成物適量を、弾性を回復させたい部分に付着させたまま印刷機を一定時間空転させる方法などが挙げられる。上記ブランケット又はゴムローラーの弾性を回復させる方法は、１種の方法のみを用いてもよいし、２種以上の方法を用いてもよい。
【００４６】
上記操作（Ａ１）、上記操作（Ａ２）、及び上記操作（Ａ３）は、それぞれ独立の操作として行ってもよいし、上記操作（Ａ１）が上記操作（Ａ２）や上記操作（Ａ３）を兼ねていてもよいし、上記操作（Ａ２）が上記操作（Ａ１）や上記操作（Ａ３）を兼ねていてもよいし、上記操作（Ａ３）が上記操作（Ａ１）や上記操作（Ａ２）を兼ねていてもよい。
【００４７】
上記操作（Ａ１）、上記操作（Ａ２）、及び上記操作（Ａ３）以外の操作（他の操作）としては、例えば、インキローラーを洗浄する操作、ゴムローラーを洗浄する操作、ブランケットを洗浄する操作などが挙げられる。上記他の操作は、特に限定されないが、上記操作（Ａ１）の前、上記操作（Ａ１）の後、上記操作（Ａ２）の前、上記操作（Ａ２）の後、上記操作（Ａ３）の前、上記操作（Ａ３）の後などに行ってもよい。
【００４８】
［印刷物の製造方法］
本発明の印刷物の製造方法は、特に限定されないが、本発明のインキ転写性回復方法によって回復したブランケット及び／又はゴムローラーを有する印刷機を用いて印刷する工程を少なくとも含むことが好ましい。本発明の印刷物の製造方法は、上記本発明のインキ転写性回復方法によって回復したブランケット及び／又はゴムローラーを有する印刷機を用いて印刷する工程以外の工程を含んでいてもよい。
【００４９】
上記印刷機は、本発明のインキ転写性回復方法によって回復したブランケット及び／又はゴムローラーを有する印刷機であれば特に限定されず、公知慣用の印刷機を用いることができる。上記印刷機は、特に限定されないが、例えば、オフセット印刷機（枚葉機、輪転機含む）、凸版印刷機、フレキソ印刷機、グラビア印刷機などが挙げられる。中でも、本発明のインキ転写性回復方法によって回復したブランケットを有する観点から、オフセット印刷機が好ましい。
【００５０】
上記印刷物に用いられる印刷基材は、印刷可能な物質であれば特に限定されない。上記印刷基材としては、特に限定されないが、例えば、紙；プラスチックフィルム；段ボール；アルミ缶、スチール缶等に使用される金属製のシート；木製のシート；布などが挙げられる。
【００５１】
上記本発明のインキ転写性回復方法によって回復したブランケット及び／又はゴムローラーを有する印刷機を用いて印刷する工程以外の工程は、特に限定されないが、インキを乾燥及び／又は活性エネルギー線（例えば、紫外線など）によって固化する工程などが挙げられる。
【００５２】
上記印刷機がオフセット印刷機である場合、本発明の印刷物の製造方法によれば、文字のみなどの簡単な絵柄だけではなく、１７５線の網点、０．１ｍｍの細線等を含む絵柄などの高精細な絵柄を有する印刷物を製造することができる。
【実施例】
【００５３】
以下に、実施例に基づいて、本発明をより詳細に説明するが、本発明はこれらの実施例により限定されるものではない。
【００５４】
（インキ転写性回復剤組成物の調整）
インキ転写性回復剤組成物の全量（１００重量部）に対してそれぞれ、Ｎ−メチル−２−ピロリドンを５０．５重量％、低沸点芳香族ナフサを３７．１重量％、エタノールを９．５重量％、ヒドロキシエチルセルロースを１．５重量％、オクタエチレングリコールモノドデシルエーテルを１．０重量％、１，２，３−ベンゾトリアゾールを０．４重量％含有するインキ転写性回復剤組成物を作製した。なお、上記で得られたインキ転写性回復剤組成物を、「インキ転写性回復剤組成物（Ｃ１）」と称する場合がある。
【００５５】
インキ転写性回復剤組成物（Ｃ１）について、以下の通りにインキ転写性の回復性の評価を行った。
【００５６】
実施例１
（ブランケットのインキ転写性の回復）
市販のブランケット洗浄液を用いて、インキ転写性の悪化したブランケット（バルカン社製）を洗浄した。次に、インキ転写性回復剤組成物（Ｃ１）を少量、ブランケットの凹み部分に綿棒で塗布した。その後、印刷機を空転させてブランケットのインキ転写性を回復させた。上記回復後、ブランケットの凹んでいた部分が膨らんでいることが確認できた。
【００５７】
（インキ転写性の回復性の評価）
上記のインキ転写性を回復させたブランケットを装着したオフセット印刷機（シノハラ菊四単色機モルトン式、（株）シノハラ製）で、ブランケットのインキ転写性の回復前の印刷条件と同じ条件で１．５ｐｔ、０．５２９ｍｍの細線、６〜１１ｐｔの文字を含む絵柄を上質紙に、約５５００ｓｐｈの速度で印刷して印刷物を製造し、ブランケットのインキ転写性の回復前後で上記絵柄の再現性を比較した。なお、評価には、印刷版としてＰＳ版（富士フイルム（株）製）、インキとして墨インキ（ＤＩＣ（株）製）を使用した。
ブランケットのインキ転写性を回復させる前は印刷物の上記絵柄がかすれていたが、インキ転写性回復剤組成物（Ｃ１）を用いてインキ転写性を回復させたブランケットを用いた場合は、印刷物の上記絵柄がシャープに再現した状態で３００枚印刷することができた。
【００５８】
実施例２
（ブランケットのインキ転写性の回復）
市販のブランケット洗浄液を用いて、インキ転写性の悪化したブランケットを洗浄した。次に、インキ転写性回復剤組成物（Ｃ１）を少量、ブランケットの凹み部分に塗布した。その後、印刷機を空転させた。空転後、再度ブランケットを市販のブランケット洗浄液で洗浄して、ブランケットのインキ転写性を回復させた。
【００５９】
（インキ転写性の回復性の評価）
上記のインキ転写性を回復させたブランケットを装着したオフセット印刷機（小森スプリント菊版２色機、（株）小森コーポレーション製）で、ブランケットのインキ転写性の回復前の印刷条件と同じ条件で１７５線の平網の絵柄を紙に印刷して印刷物を製造し、ブランケットのインキ転写性の回復前後で上記絵柄の再現性を比較した。なお、評価には、印刷版としてシルバーマスターを使用した。
インキ転写性回復剤組成物（Ｃ１）を用いてインキ転写性を回復させたブランケットを用いた場合、印刷物の上記絵柄の網点がシャープに再現した状態で５１００枚印刷することができた。
【００６０】
実施例３
（ブランケットのインキ転写性の回復）
市販のブランケット洗浄液を用いて、インキ転写性の悪化したブランケット（（株）明治ゴム化成製）を洗浄した。次に、インキ転写性回復剤組成物（Ｃ１）を少量、ブランケットの凹み部分に綿棒で塗布した。その後、印刷機を空転させて、ブランケットのインキ転写性を回復させた。上記回復後、ブランケットの凹んでいた部分が膨らんでいることが確認できた。
【００６１】
（インキ転写性の回復性の評価）
上記のインキ転写性を回復させたブランケットを装着したオフセット印刷機（商品名「ハマダＥ−４７」、ハマダ印刷機械（株）製）で、ブランケットのインキ転写性の回復前の印刷条件と同じ条件で０．５〜０．６ｐｔ、０．１７６ｍｍの細線を含む絵柄を上質紙に、約５５００ｓｐｈの速度で印刷して印刷物を製造し、ブランケットのインキ転写性の回復前後で上記絵柄の再現性を比較した。なお、評価には、印刷版としてピンクマスター、インキとして墨インキ（ＤＩＣ（株）製）を使用した。
インキ転写性回復剤組成物（Ｃ１）を用いてインキ転写性を回復させたブランケットを用いた場合は、印刷物の上記絵柄がシャープに再現した状態で３００〜３２０枚印刷することができた。
【００６２】
実施例４
（ブランケットのインキ転写性の回復）
市販のブランケット洗浄液を用いて、インキ転写性の悪化したブランケットを洗浄した。次に、インキ転写性回復剤組成物（Ｃ１）を少量、ブランケットの凹み部分に塗布した。その後、印刷機を空転させて、ブランケットのインキ転写性を回復させた。
【００６３】
（インキ転写性の回復性の評価）
上記のインキ転写性を回復させたブランケットを装着したオフセット印刷機（商品名「ＲＹＯＢＩ３２００ＣＣＤ」、リョービ（株）製）で、ブランケットのインキ転写性の回復前の印刷条件と同じ条件で２７ｐｔの文字を含む絵柄の絵柄をマット紙に、約５０００ｓｐｈの速度で印刷して印刷物を製造し、ブランケットのインキ転写性の回復前後で上記絵柄の再現性を比較した。なお、評価には、印刷版としてピンクマスター又はＰＳ版、インキとして墨インキ（ＤＩＣ（株）製）を使用した。
インキ転写性回復剤組成物（Ｃ１）を用いてインキ転写性を回復させたブランケットを用いた場合は、印刷物の上記絵柄の文字のエッジがシャープに再現した状態で４００〜５００枚印刷することができた。また、インキののりも良好であった。